【事件の表示】
　特願２００６−　６１８２９号「有機エレクトロルミネッセンスデバイス及びその製造方法」拒絶査定不服審判事件〔平成１９年　９月２０日出願公開、特開２００７−２４２８１６号〕について、次のとおり審決する。
【結　論】
　本件審判の請求は、成り立たない。
【理　由】
１．手続の経緯
　本願は、平成１８年３月７日の出願であって、平成２３年７月２８日付け及び平成２３年１０月１７日付けで手続補正がなされた後、平成２３年１１月３０日付けで、平成２３年１０月１７日付けの手続補正が却下されるとともに同日付けで拒絶査定がなされ、これに対して、平成２４年３月２日に拒絶査定不服審判の請求がなされ、同時に手続補正がなされたものである。
　
２．平成２４年３月２日付けの手続補正（以下「本件補正」という。）についての補正の却下の決定
　　　　　　
［補正の却下の決定の結論］
　平成２４年３月２日付けの手続補正を却下する。
［理由］
（１）補正後の本願発明
　本件補正により、特許請求の範囲の請求項１は、
「デバイス基板と、該デバイス基板上にラインパターン状に形成された画素電極用の第１電極層と、互いに隣接する前記第１電極層の間に位置して前記デバイス基板上にラインパターン状に形成された一定厚さの絶縁層と、互いに隣接する前記絶縁層の間に位置して前記第１電極層上に形成された発光媒体積層体と、該発光媒体積層体上に形成された第２電極層とを備え、
　前記第１電極層と前記第２電極層とは、それらの一方が透明電極を構成し他方が対向電極を構成しており、
　前記発光媒体積層体は複数の積層体構成要素層を積層して形成されており、
　前記複数の積層体構成要素層が、有機エレクトロルミネッセンス材料から成る有機発光層を含んでおり、前記透明電極と前記対向電極との間に電圧を印加することによって前記有機発光層が発光するようにしてあり、
　前記複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され、
　前記複数の積層体構成要素層は、前記高分子材料からなる正孔注入層と、前記低分子材料からなる正孔輸送層と、前記低分子材料からなる有機発光層と、電子注入層とがこの順に積層されることで構成され、
　前記正孔注入層と前記有機発光層が前記互いに隣接する絶縁層の間に形成されている、
ことを特徴とする有機エレクトロルミネッセンスデバイス。」
と補正された。
　
　本件補正は、本件補正前の請求項１に記載した発明を特定するために必要な事項である「複数の積層体構成要素層」について「高分子材料からなる正孔注入層と、前記低分子材料からなる有機発光層とが積層される」を「高分子材料からなる正孔注入層と、前記低分子材料からなる正孔輸送層と、前記低分子材料からなる有機発光層と、電子注入層とがこの順に積層される」と限定するものであり、この補正は、平成１８年法律第５５号改正附則第３条第１項によりなお従前の例によるとされる同法による改正前の特許法第１７条の２（以下単に「特許法第１７条の２」という。）第４項第２号に規定する特許請求の範囲の減縮を目的とする補正に該当する。
　
　また、本件補正により、特許請求の範囲の請求項２は、
「デバイス基板と、該デバイス基板上にラインパターン状に形成された画素電極用の第１電極層と、互いに隣接する前記第１電極層の間に位置して前記デバイス基板上にラインパターン状に形成された一定厚さの絶縁層と、互いに隣接する前記絶縁層の間に位置して前記第１電極層上に形成された発光媒体積層体と、該発光媒体積層体上に形成された第２電極層とを備え、
　前記第１電極層と前記第２電極層とは、それらの一方が透明電極を構成し他方が対向電極を構成しており、
　前記発光媒体積層体は複数の積層体構成要素層を積層して形成されており、
　前記複数の積層体構成要素層が、有機エレクトロルミネッセンス材料から成る有機発光層を含んでおり、前記透明電極と前記対向電極との間に電圧を印加することによって前記有機発光層が発光するようにしてあり、
　前記複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され、
　前記複数の積層体構成要素層は、前記高分子材料からなる正孔注入層と、前記低分子材料からなる有機発光層と、電子注入層とがこの順に積層されることで構成され、
　前記複数の積層体構成要素層は前記高分子材料からなる正孔輸送層をさらに有し、前記正孔輸送層が前記正孔注入層と前記有機発光層との間に形成されていることを特徴とする有機エレクトロルミネッセンスデバイス。」
と補正された。
　
　本件補正は、本件補正前の請求項１を引用する請求項２に記載した発明を特定するために必要な事項である「複数の積層体構成要素層」について「高分子材料からなる正孔注入層と、前記低分子材料からなる有機発光層とが積層される」を「高分子材料からなる正孔注入層と、前記低分子材料からなる有機発光層と、電子注入層とがこの順に積層される」と限定するものであり、この補正は、特許法第１７条の２第４項第２号に規定する特許請求の範囲の減縮を目的とする補正に該当する。
　
（２）独立特許要件の判断
　そこで、本件補正後の請求項１に係る発明及び請求項２に係る発明（以下「本願補正発明１」及び「本願補正発明２」という。）が、特許出願の際独立して特許を受けることができるものであるか（特許法第１７条の２第５項において準用する同法第１２６条第５項の規定に違反しないか）について検討する。
　
（２−１）特許法第２９条第２項違反−１
Ａ．引用例
　原査定の拒絶理由に引用された特開２００４−１４１７２公報（以下「引用例１」という。）、及び特開２００３−７４５９号公報（以下「引用例２」という。）には、以下の技術事項が記載されている。（後述する引用発明１の認定に関連する箇所に下線を付した。）
　
ａ．引用例１
記載事項ア．
「【請求項２】水に可溶な有機材料を含有する有機層と、有機溶剤に可溶な有機材料を含有する有機層とを隣接させて、多層同時塗布にて基板上に成膜する工程を経ることを特徴とする
有機エレクトロルミネッセンス素子
　
記載事項イ．
「【０１４０】
実施例３
６０ｇの
化合物５−２、トリス（２−（ｐ−トリル）ピリジン）イリジウム
、ＦＩｒ（ｐｉｃ）
、Ｂｔｐ２Ｉｒ（ａｃａｃ）
【０１４１】
【化３４】
　
　
【０１４２】
６０ｇの化合物１４−５をジクロロベンゼン５Ｌに溶解し化合物１４−５の１．２％ジクロロベンゼン溶液を調製した（溶液６）。
【０１４３】
６０ｇの化合物１２−１をジクロロベンゼン５Ｌに溶解し化合物１２−１の１．２％ジクロロベンゼン溶液を調製した（溶液７）。
【０１４４】ＩＴＯフィルム（三容真空製）上に、溶液１／溶液５／中間液層（水）／溶液６／中間液層（水）／溶液７の順に、塗布速度５０ｍ／分、塗布膜厚が順に１０μｍ、１０μｍ、１０μｍ、５μｍ、１０μｍ、８μｍとなる様に、スライド方式により同時多層塗布を行った。
【０１４５】
次いで、できあがったサンプルについて８０℃で３時間真空加熱乾燥を行い、
ＩＴＯフィルム上に
ＰＥＤＯＴ／ＰＳＳ層、
化合物５−２からなる層（ドーパント含有）、
化合物１４−５からなる層、
化合物１２−１からなる層を形成した。
【０１４６】
更に
ＬｉＦ層、
Ａｌ層をこの順に形成した。
【０１４７】
得られた素子のＩＴＯを陽極、Ａｌ層を陰極として１０Ｖの電圧を印加すると白色のＥＬ発光が得られ、
　
記載事項ウ．
【００７６】
【化１１】
　
　
記載事項エ．
【００９８】
【化１９】
　
　
記載事項オ．
【０１０３】
【化２２】
　
　
　記載事項ア〜オの記載内容からして、引用例１には、
「陽極としてのＩＴＯが形成されたＩＴＯフィルム上にＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層、陰極としてのＡｌ層をこの順に形成した、有機エレクトロルミネッセンス素子。
【化３４】
　
　
【化１１】
　
　
【化１９】
　
　
【化２２】
　
　
　　　　　　　　　　　　　　　　　　　　　　　」
の発明（以下「引用発明１」という。）が記載されていると認められる。
　
ｂ．引用例２
記載事項カ．
「【００３５】図１（Ａ）に示すように、基板１００上に透明画素電極１０１〜１０４を４０〜１２０μｍピッチ、０．１μｍの厚さで形成する。透明画素電極を形成する材料は、酸化インジウム、酸化亜鉛、酸化スズ、又はこれらの酸化物の混合物を用いる。
【００３６】次いで、図１（Ｂ）に示すようにこの透明画素電極間パターン間に樹脂材料から成る隔壁１０５を形成する。この隔壁層の厚さは１〜２μｍ、幅は２０μｍとし、透明画素電極の端部を覆うように形成する。この隔壁は、インクヘッッドから吐出し着弾した組成物が流れ出して隣接する画素と混合しないようにするために設けるものである。
【００３７】次に、この透明画素電極（陽極）１０１〜１０４を有するガラス基板１００に対し、第１有機化合物層としてポリ（エチレンジオキシチオフェン）／ポリ（スチレンスルホン酸）水溶液（以下、ＰＥＤＯＴ／ＰＳＳと記す）をスピンコーティングにより３０ｎｍに厚さに成膜する。このＰＥＤＯＴ／ＰＳＳは、正孔注入層１０６として作用する（図１（Ｃ））。
【００３８】その後、加熱処理により水分を蒸発させ、インクジェット印刷装置１０７により、組成物を塗布し、厚さ０．０５〜０．２μｍの第２有機化合物層としての発光層を形成する。組成物としては、アセトニトリル溶液に溶解させたπ共役系配位子を有する金属キレート錯体を用いる。例えば、９０μｍピッチの画素に対して、粘度１〜２０ｃｐ、約８０μｍ径の組成物を吐出する。この組成物は、インクジェット吐出後、８０〜１２０℃で加熱して溶媒を揮発させ、５０〜１５０ｎｍの発光層１０８を形成する（図１（Ｄ））。
【００３９】陰極１０９としてマグネシウム合金（例えば、ＡｌＭｇ）を真空蒸着法にて０．１〜０．２μｍの厚さに成膜する。これにより発光装置が完成する（図１（Ｅ））。」
　
記載事項キ．
【図１】
　
　
Ｂ．対比
　本願補正発明１、２と引用発明１を対比する。
（ａ）引用発明１の「陽極としてのＩＴＯが形成されたＩＴＯフィルム」は、例えば引用例１の【０１４８】にも記載されるようにパターニングすることによりフィルム上にＩＴＯストライプ透明電極が形成されたものといえるから、引用発明１の「陽極としてのＩＴＯが形成されたＩＴＯフィルム」は、本願補正発明１、２の「デバイス基板と、該デバイス基板上にラインパターン状に形成された画素電極用の第１電極層」に相当するといえる。
　また、引用発明１の「陽極としてのＩＴＯ」は、本願補正発明１、２の「透明電極」に相当し、引用発明１の「陰極としてのＡｌ層」は、本願補正発明１、２の「第２電極層」及び「対向電極」に相当するから、引用発明１は、本願補正発明１、２の「前記第１電極層と前記第２電極層とは、それらの一方が透明電極を構成し他方が対向電極を構成」に相当する構成を備えているといえる。
　
（ｂ）引用発明１の「ＰＥＤＯＴ／ＰＳＳ層」は、高分子正孔注入材料からなる層であり、例えば引用例1の【００６２】に「ポリチオフェン類」と記載されているように、重量平均分子量が１０００より大きい高分子材料であることは明らかであるから、本願補正発明１、２の「重量平均分子量が１０００より大きい高分子材料から成る高分子材料層として形成された層」及び「前記高分子材料からなる正孔注入層」に相当する。
　また、引用発明１の「化合物５−２」、「トリス（２−（ｐ−トリル）ピリジン）イリジウム」、「ＦＩｒ（ｐｉｃ）」、「Ｂｔｐ２Ｉｒ（ａｃａｃ）」はそれぞれ、重量平均分子量が１０００以下の低分子材料であるから、引用発明１の「化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）」は、本願補正発明１、２の「重量平均分子量が１０００以下の低分子材料から成る低分子材料層として形成された層」及び「前記低分子材料からなる有機発光層」に相当する。
　
（ｃ）引用発明１の「ＬｉＦ層」は、例えば国際公開第２００５／１１３３２号（段落［００２９］［００３０］等参照）にも記載されるように、電子注入を促す機能を有する層であるから、本願補正発明１、２の「電子注入層」に相当する。
　
（ｄ）引用発明１の「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層」「をこの順に形成した」ものは、本願補正発明１、２の「複数の積層体構成要素層を積層して形成され」ている「発光媒体積層体」に相当するものであり、上記（ｂ）で述べたように、引用発明１の「化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）」は、本願補正発明１、２の「前記低分子材料からなる有機発光層」に相当するから、引用発明１は、本願補正発明１、２の「前記複数の積層体構成要素層が、有機エレクトロルミネッセンス材料から成る有機発光層を含んで」いる構成を備えているといえる。
　また、引用発明１の「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層」「をこの順に形成した」ものは「陽極としてのＩＴＯ」と「陰極としてのＡｌ層」の間に形成されているから、引用発明１は、本願補正発明１、２の「前記第１電極層上に形成された発光媒体積層体と、該発光媒体積層体上に形成された第２電極層」の構成を備えているといえる。
　
（ｅ）引用発明１の「陽極としてのＩＴＯ」と「陰極としてのＡｌ層」の間に電圧を印加することによって「化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）」が発光することは明らかであり、このことは、本願補正発明１、２の「前記透明電極と前記対向電極との間に電圧を印加することによって前記有機発光層が発光するようにしてあ」ることに相当する。
　
（ｆ）引用発明１の「ＰＥＤＯＴ／ＰＳＳ層」と「化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）」は、それらの表面を互いに接して積層されているといえ、上記（ｂ）で述べたように、「ＰＥＤＯＴ／ＰＳＳ層」は重量平均分子量が１０００より大きい高分子材料から成る高分子材料層に相当し、「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）」は重量平均分子量が１０００以下の低分子材料からなる有機発光層に相当するから、引用発明１の「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層」「をこの順に形成した」ものは、本願補正発明１、２の「前記複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され」たものに相当する。
　
（ｇ）引用発明１の「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層」「をこの順に形成した」ものと、本願補正発明１の「前記複数の積層体構成要素層は、前記高分子材料からなる正孔注入層と、前記低分子材料からなる正孔輸送層と、前記低分子材料からなる有機発光層と、電子注入層とがこの順に積層されることで構成され」ているものは「前記複数の積層体構成要素層は、前記高分子材料からなる正孔注入層と、前記低分子材料からなる有機発光層と、電子注入層とがこの順に積層されることで構成され」ているものである点で共通している。
　同様に、引用発明１の「ＰＥＤＯＴ／ＰＳＳ層、化合物５−２からなる層（ドーパントとしてトリス（２−（ｐ−トリル）ピリジン）イリジウム、ＦＩｒ（ｐｉｃ）、Ｂｔｐ２Ｉｒ（ａｃａｃ）含有）、化合物１４−５からなる層、化合物１２−１からなる層を形成し、更にＬｉＦ層」「をこの順に形成した」ものと、本願補正発明２の「前記複数の積層体構成要素層は、前記高分子材料からなる正孔注入層と、前記低分子材料からなる有機発光層と、電子注入層とがこの順に積層されることで構成され、前記複数の積層体構成要素層は前記高分子材料からなる正孔輸送層をさらに有し、前記正孔輸送層が前記正孔注入層と前記有機発光層との間に形成されている」ものは「前記複数の積層体構成要素層は、前記高分子材料からなる正孔注入層と、前記低分子材料からなる有機発光層と、電子注入層とがこの順に積層されることで構成され」ているものである点で共通している。
　
（ｈ）引用発明１の「有機エレクトロルミネッセンス素子」は、本願補正発明１、２の「有機エレクトロルミネッセンスデバイス」に相当する。
　
　上記（ａ）〜（ｈ）に記載したことからして、本願補正発明１、２と引用発明１は、
「デバイス基板と、該デバイス基板上にラインパターン状に形成された画素電極用の第１電極層と、前記第１電極層上に形成された発光媒体積層体と、該発光媒体積層体上に形成された第２電極層とを備え、前記第１電極層と前記第２電極層とは、それらの一方が透明電極を構成し他方が対向電極を構成しており、前記発光媒体積層体は複数の積層体構成要素層を積層して形成されており、前記複数の積層体構成要素層が、有機エレクトロルミネッセンス材料から成る有機発光層を含んでおり、前記透明電極と前記対向電極との間に電圧を印加することによって前記有機発光層が発光するようにしてあり、前記複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され、前記複数の積層体構成要素層は、前記高分子材料からなる正孔注入層と、前記低分子材料からなる有機発光層と、電子注入層とがこの順に積層されることで構成された、有機エレクトロルミネッセンスデバイス。」
である点で一致し、次の点で相違する。
　
相違点（Ａ）
　本願補正発明１、２は、互いに隣接する前記第１電極層の間に位置してデバイス基板上にラインパターン状に形成された一定厚さの絶縁層を備え、発光媒体積層体が互いに隣接する前記絶縁層の間に形成されるのに対して、引用発明１は、上記の絶縁層を備えているのかどうか不明である点。
　
相違点（Ｂ）
　本願補正発明１は、重量平均分子量が１０００以下の低分子材料から成る正孔輸送層が、前記正孔注入層と前記有機発光層との間に形成されており、本願補正発明２は、重量平均分子量が１０００より大きい高分子材料から成る正孔輸送層が、前記正孔注入層と前記有機発光層との間に形成されているのに対して、引用発明１は、上記のような正孔輸送層が形成されていない点。
　
Ｃ．当審の判断
　上記相違点について検討する。
相違点（Ａ）について
　有機エレクトロルミネッセンスデバイスの分野において、互いに隣接する画素電極間パターンの間に位置してデバイス基板上にラインパターン状に形成された一定厚さの絶縁層を備え、また、発光媒体積層体が互いに隣接する前記絶縁層の間に形成されるようにすることは、例えば引用例２（記載事項カ、キ参照）にも記載されるように本願出願前周知の技術であるから、引用発明１に上記周知技術を適用して上記相違点（Ａ）に係る本願補正発明１，２の発明特定事項を得ることは当業者であれば容易になし得ることである。
　
相違点（Ｂ）について
　引用例１には、「構成層としては正孔注入層、正孔輸送層、発光層、電子輸送層などである。」と記載（【００６１】等参照）され、また、「正孔輸送層には高分子化された芳香族アミン類、アモルファス性低分子、液晶化合物類が用いられる。」と記載（【００８０】等参照）されている。このように、引用例１には、低分子材料或いは高分子材料から成る正孔輸送層を、正孔注入層と発光層との間に形成することが記載されているといえるから、引用発明１の正孔注入層と有機発光層との間に、低分子材料或いは高分子材料から成る正孔輸送層を形成することで、上記相違点（Ｂ）に係る本願補正発明１或いは本願補正発明２の発明特定事項を得ることは、当業者であれば容易になし得ることである。
　
　そして、本願補正発明１、２の効果も、引用発明１、引用例１に記載された事項及び上記周知技術から予測し得る範囲内のものであり、格別のものとは認め難い。
　　　　　　
　よって、本願補正発明１、２は、引用発明１、引用例１に記載された事項及び周知技術に基いて当業者が容易に発明をすることができたものであるから、特許法第２９条第２項の規定により特許出願の際独立して特許を受けることができない。
　
（２−２）特許法第２９条第２項違反−２
Ｄ．引用例
　原査定の拒絶理由に引用された特開２００３−７４５９号公報（先の「引用例２」）には、以下の技術事項が記載されている。（後述する引用発明２の認定に関連する箇所に下線を付した。）
　
記載事項ク．
「【００１１】
【課題を解決するための手段】本発明において、
インクジェット方式によりパターン形成する際に用いられる発光性を有する組成物は、
中分子化合物
そのような材料の一例は、テトラキス（２−メルカプト−ヘンズオキサゾラト）タングステンなどが上げられる。
　
記載事項ケ．
「【００３５】図１（Ａ）に示すように、
基板１００上に透明画素電極１０１〜１０４を４０〜１２０μｍピッチ、０．１μｍの厚さで形成する。
【００３６】次いで、図１（Ｂ）に示すように
この透明画素電極間パターン間に樹脂材料から成る隔壁１０５を形成する。この隔壁層の厚さは１〜２μｍ、幅は２０μｍとし、透明画素電極の端部を覆うように形成する。
【００３７】次に、
この透明画素電極（陽極）１０１〜１０４を有するガラス基板１００に対し、
ポリ（エチレンジオキシチオフェン）／ポリ（スチレンスルホン酸）水溶液（以下、ＰＥＤＯＴ／ＰＳＳと記す）を
成膜する。このＰＥＤＯＴ／ＰＳＳは、正孔注入層１０６として作用する
【００３８】
その後、
インクジェット印刷装置１０７により、組成物を塗布し、
発光層を形成する。組成物としては、
π共役系配位子を有する金属キレート錯体を用いる。
発光層１０８を形成する
【００３９】
陰極１０９としてマグネシウム合金（例えば、ＡｌＭｇ）を
成膜する。これにより発光装置が完成する
　
記載事項コ．
【図１】
　
　
　引用例２の図１（記載事項コ）の記載から、正孔注入層１０６と発光層１０７は、互いに隣接する隔壁層１０５の間に形成されていることが読み取れる。
　よって、記載事項ク〜コの記載内容からして、引用例２には、
「基板上に透明画素電極（陽極）を４０〜１２０μｍピッチ、０．１μｍの厚さで形成し、この透明画素電極間パターン間に樹脂材料から成り、厚さ１〜２μｍ、幅２０μｍとして、透明画素電極の端部を覆うように隔壁層を形成し、透明画素電極（陽極）を有するガラス基板に対し、正孔注入層として作用するポリ（エチレンジオキシチオフェン）／ポリ（スチレンスルホン酸）（ＰＥＤＯＴ／ＰＳＳ）を成膜し、その後、インクジェット印刷装置により、テトラキス（２−メルカプト−ヘンズオキサゾラト）タングステンなどの中分子化合物からなるπ共役系配位子を有する金属キレート錯体を用いて発光層を形成し、陰極としてマグネシウム合金を成膜することで構成され、正孔注入層と発光層が互いに隣接する隔壁層の間に形成されている発光装置。」
の発明（以下「引用発明２」という。）が記載されていると認められる。
　
Ｅ．対比
　本願補正発明１と引用発明２を対比する。
（ｇ）引用発明２の「基板」は、本願補正発明１の「デバイス基板」に相当する。また、引用発明２の「基板上に」「４０〜１２０μｍピッチ、０．１μｍの厚さで形成し」た「透明画素電極（陽極）」は、ラインパターン状に形成されたものであることは明らかであるから、本願補正発明１の「デバイス基板上にラインパターン状に形成された画素電極用の第１電極層」に相当する。
　また、引用発明２の「透明画素電極（陽極）」は、本願補正発明１の「透明電極」に相当し、引用発明２の「陰極として」「成膜」された「マグネシウム合金」は、本願補正発明１の「第２電極層」及び「対向電極」に相当するから、引用発明２は、本願補正発明１の「前記第１電極層と前記第２電極層とは、それらの一方が透明電極を構成し他方が対向電極を構成」に相当する構成を備えているといえる。
　
（ｈ）引用発明２の「透明画素電極間パターン間に樹脂材料から成り、厚さ１〜２μｍ、幅２０μｍとして、透明画素電極の端部を覆うように」「形成し」た「隔壁層」は、本願補正発明１の「互いに隣接する前記第１電極層の間に位置して前記デバイス基板上にラインパターン状に形成された一定厚さの絶縁層」に相当する。
　
（ｉ）引用発明２の「正孔注入層として作用するポリ（エチレンジオキシチオフェン）／ポリ（スチレンスルホン酸）（ＰＥＤＯＴ／ＰＳＳ）」は、高分子正孔注入材料からなる層であり、重量平均分子量が１０００より大きい高分子材料であることは明らかであるから、本願補正発明１の「重量平均分子量が１０００より大きい高分子材料から成る高分子材料層として形成された層」及び「前記高分子材料からなる正孔注入層」に相当する。
　
（ｊ）引用発明２の「テトラキス（２−メルカプト−ヘンズオキサゾラト）タングステンなどの中分子化合物からなるπ共役系配位子を有する金属キレート錯体を用いて」「形成し」た「発光層」は、本願補正発明１の「有機エレクトロルミネッセンス材料から成る有機発光層」に相当する。
　
（ｋ）引用発明２の「正孔注入層として作用するポリ（エチレンジオキシチオフェン）／ポリ（スチレンスルホン酸）（ＰＥＤＯＴ／ＰＳＳ）を成膜し、その後、インクジェット印刷装置により、テトラキス（２−メルカプト−ヘンズオキサゾラト）タングステンなどの中分子化合物からなるπ共役系配位子を有する金属キレート錯体を用いて発光層を形成し」たものは、本願補正発明１の「複数の積層体構成要素層を積層して形成されて」いる「発光媒体積層体」に相当し、また、引用発明２は「透明画素電極（陽極）」と「陰極」の間に電圧を印加することによって「発光層」が発光するものであることは明らかであるから、引用発明２は、本願補正発明１の「発光媒体積層体は複数の積層体構成要素層を積層して形成されており、前記複数の積層体構成要素層が、有機エレクトロルミネッセンス材料から成る有機発光層を含んでおり、前記透明電極と前記対向電極との間に電圧を印加することによって前記有機発光層が発光するようにしてあ」ることに相当する構成を備えているといえる。
　また、引用発明２の「透明画素電極（陽極）を有するガラス基板に対し、正孔注入層として作用するポリ（エチレンジオキシチオフェン）／ポリ（スチレンスルホン酸）（ＰＥＤＯＴ／ＰＳＳ）を成膜し、その後、インクジェット印刷装置により、テトラキス（２−メルカプト−ヘンズオキサゾラト）タングステンなどの中分子化合物からなるπ共役系配位子を有する金属キレート錯体を用いて発光層を形成し、陰極としてマグネシウム合金を成膜することで構成され、正孔注入層と発光層が互いに隣接する隔壁層の間に形成されている」ことは、本願補正発明１の「互いに隣接する前記絶縁層の間に位置して前記第１電極層上に形成された発光媒体積層体と、該発光媒体積層体上に形成された第２電極層とを備え」ること及び「前記正孔注入層と前記有機発光層が前記互いに隣接する絶縁層の間に形成されている、こと」に相当する。
　
（ｌ）引用発明２の「正孔注入層として作用するポリ（エチレンジオキシチオフェン）／ポリ（スチレンスルホン酸）（ＰＥＤＯＴ／ＰＳＳ）を成膜し、その後、インクジェット印刷装置により、テトラキス（２−メルカプト−ヘンズオキサゾラト）タングステンなどの中分子化合物からなるπ共役系配位子を有する金属キレート錯体を用いて発光層を形成」することと、本願補正発明１の「前記複数の積層体構成要素層は、前記高分子材料からなる正孔注入層と、前記低分子材料からなる正孔輸送層と、前記低分子材料からなる有機発光層と、電子注入層とがこの順に積層されることで構成され」ることは、「前記複数の積層体構成要素層は、前記高分子材料からなる正孔注入層と、前記有機発光層とがこの順に積層されることで構成され」る点で共通している。
　
（ｍ）引用発明２の「発光装置」は、本願補正発明１の「有機エレクトロルミネッセンスデバイス」に相当する。
　
　上記（ｇ）〜（ｍ）に記載したことからして、本願補正発明１と引用発明２は、
「デバイス基板と、該デバイス基板上にラインパターン状に形成された画素電極用の第１電極層と、互いに隣接する前記第１電極層の間に位置して前記デバイス基板上にラインパターン状に形成された一定厚さの絶縁層と、互いに隣接する前記絶縁層の間に位置して前記第１電極層上に形成された発光媒体積層体と、該発光媒体積層体上に形成された第２電極層とを備え、前記第１電極層と前記第２電極層とは、それらの一方が透明電極を構成し他方が対向電極を構成しており、前記発光媒体積層体は複数の積層体構成要素層を積層して形成されており、前記複数の積層体構成要素層が、有機エレクトロルミネッセンス材料から成る有機発光層を含んでおり、前記透明電極と前記対向電極との間に電圧を印加することによって前記有機発光層が発光するようにしてあり、前記複数の積層体構成要素層が、重量平均分子量が１０００より大きい高分子材料から成る高分子材料層として形成された層を含んでおり、前記複数の積層体構成要素層は、前記高分子材料からなる正孔注入層と、有機発光層とがこの順に積層されることで構成され、前記正孔注入層と前記有機発光層が前記互いに隣接する絶縁層の間に形成されている、有機エレクトロルミネッセンスデバイス。」
である点で一致し、次の点で相違する。
　
［相違点］
　本願補正発明１は、複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され、前記複数の積層体構成要素層は、前記高分子材料からなる正孔注入層と、前記低分子材料からなる正孔輸送層と、前記低分子材料からなる有機発光層と、電子注入層とがこの順に積層されることで構成されるのに対して、引用発明２は、上記のような低分子材料からなる正孔輸送層、電子注入層が形成されておらず、発光層が低分子材料からなるか否かが明確でない点。
　
Ｆ．当審の判断
　上記相違点について検討する。
　有機エレクトロルミネッセンスデバイスの分野において、複数の積層体構成要素層を、重量平均分子量が１０００より大きい高分子材料からなる正孔注入層と、重量平均分子量が１０００以下の低分子材料からなる正孔輸送層と、重量平均分子量が１０００以下の低分子材料からなる有機発光層と、電子注入層とがこの順に積層するように構成して、前記低分子材料からなる正孔輸送層と前記高分子材料からなる正孔注入層とがそれらの表面を互いに接するように積層することは、例えば国際公開第２００５／１１３３２号（［００５１］〜［００６０］、［００４３］等参照）、特開２００４−６２７８号公報（【０１１９】〜【０１２２】等参照）にも記載されるように本願出願前周知の技術であり、引用発明２の複数の積層体構成要素層に代えて上記周知技術を採用して上記相違点に係る本願補正発明１の発明特定事項を得ることは当業者であれば容易になし得ることである。
　
　そして、本願補正発明１の効果も、引用発明２、及び上記周知技術から予測し得る範囲内のものであり、格別のものとは認め難い。　　　　　
　よって、本願補正発明１は、引用発明２及び周知技術に基いて当業者が容易に発明をすることができたものであるから、特許法第２９条第２項の規定により特許出願の際独立して特許を受けることができない。
　
（３）むすび
　以上のとおり、本件補正は、特許法第１７条の２第５項において準用する同法第１２６条第５項の規定に違反するものであるから、同法第１５９条第１項において読み替えて準用する同法第５３条第１項の規定により却下すべきものである。
　　　　　　
３．本願発明について
　平成２４年３月２日付けの手続補正は上記のとおり却下され、平成２３年１０月１７日付けの手続補正は既に却下されているので、本願の請求項１に係る発明は、平成２３年７月２８日付けの手続補正により補正された特許請求の範囲の請求項１に記載された以下のとおりのものである。（以下同項記載の発明を「本願発明」という。）　　　
「デバイス基板と、該デバイス基板上にラインパターン状に形成された画素電極用の第１電極層と、互いに隣接する前記第１電極層の間に位置して前記デバイス基板上にラインパターン状に形成された一定厚さの絶縁層と、互いに隣接する前記絶縁層の間に位置して前記第１電極層上に形成された発光媒体積層体と、該発光媒体積層体上に形成された第２電極層とを備え、
　前記第１電極層と前記第２電極層とは、それらの一方が透明電極を構成し他方が対向電極を構成しており、
　前記発光媒体積層体は複数の積層体構成要素層を積層して形成されており、
　前記複数の積層体構成要素層が、有機エレクトロルミネッセンス材料から成る有機発光層を含んでおり、前記透明電極と前記対向電極との間に電圧を印加することによって前記有機発光層が発光するようにしてあり、
　前記複数の積層体構成要素層が、重量平均分子量が１０００以下の低分子材料から成る低分子材料層として形成された層と、重量平均分子量が１０００より大きい高分子材料から成る高分子材料層として形成された層とを含んでおり、少なくとも１層の前記低分子材料層と少なくとも１層の前記高分子材料層とがそれらの表面を互いに接して積層され、
　前記複数の積層体構成要素層は、前記高分子材料からなる正孔注入層と、前記低分子材料からなる有機発光層とが積層されることで構成され、
　前記正孔注入層と前記有機発光層が前記互いに隣接する絶縁層の間に形成されている、
　ことを特徴とする有機エレクトロルミネッセンスデバイス。」
　
４．引用例
　原査定の拒絶の理由に引用された引用例１の記載事項は、上記「２．」「（２）」「（２−１）」「Ａ．」に記載したとおりである。
　
５．対比・判断
　本願発明は、上記「２．」「（２）」「（２−１）」で検討した本願補正発明１から「複数の積層体構成要素層」の限定事項である「高分子材料からなる正孔注入層と、低分子材料からなる正孔輸送層と、低分子材料からなる有機発光層と、電子注入層とがこの順に積層される」という事項を省き、「高分子材料からなる正孔注入層と、低分子材料からなる有機発光層とが積層される」としたものである。
　そうすると、本願発明の発明特定事項を全て含み、さらに限定したものに相当する本願補正発明１が、上記「２．」「（２）」「（２−１）」「Ｃ．」に記載したとおり、引用発明１、引用例１に記載された事項及び周知技術に基いて当業者が容易に発明をすることができたものであるから、本願発明も、同様の理由により、引用発明１、引用例１に記載された事項及び周知技術に基いて当業者が容易に発明をすることができたものである。
　
６．むすび
　以上のとおり、本願発明は、引用発明１、引用例１に記載された事項及び周知技術に基いて当業者が容易に発明をすることができたものであるから、特許法第２９条第２項の規定により特許を受けることができない。
　よって、結論のとおり審決する。